(57)【特許請求の範囲】
【請求項１】
表示手段と、前記表示手段の前方に位置する被写体を撮影する撮影手段と、を備えた表示装置であって、
前記撮影手段を使用して前記被写体を撮影する時の撮影モードと、前記表示手段に設定する輝度、明度の少なくとも１つの設定情報と、を紐付けて記憶する設定情報記憶手段と、
前記撮影手段を使用する際に設定された前記撮影モードに紐付けられた前記設定情報を前記設定情報記憶手段から決定し、該決定した設定情報を基に、前記表示手段の輝度、明度の少なくとも１つを前記設定情報に応じた輝度、明度に変更する第１の表示制御手段と、
前記撮影手段を使用した時に前記表示手段に設定された輝度、明度の情報を前記撮影手段を使用した際に設定された前記撮影モードに紐付けて蓄積する記憶手段と、
前記記憶手段に蓄積された前記輝度、明度の情報を基に、前記撮影モードを使用した際に最も前記表示手段に設定された前記輝度、明度の情報を特定し、該特定した前記輝度、明度の情報を前記撮影モードに紐付けて前記設定情報記憶手段に記憶し、前記設定情報記憶手段の前記設定情報を更新する更新手段と、
を有することを特徴とする表示装置。
【請求項２】
前記設定情報記憶手段は、
前記表示手段の輝度、明度、彩度、色相の少なくとも１つを調整する際の指標となる設定値を、前記撮影モードに紐付けて記憶し、
前記撮影手段を使用する際に設定された前記撮影モードに紐付けられた前記設定値を前記設定情報記憶手段から決定し、前記撮影手段で撮影された前記被写体の画像を解析して得られる値が、前記設定情報記憶手段から決定した前記設定値の範囲内でない場合に、前記被写体の画像を解析して得られる値に応じて、前記表示手段の輝度、明度、彩度、色相の少なくとも１つを調整する第２の表示制御手段と、
を有することを特徴とする請求項１記載の表示装置。
【請求項３】
前記設定情報記憶手段は、
前記撮影モード及び前記表示装置を使用する際の使用環境状態と、前記設定情報と、を紐付けて記憶し、
前記第１の表示制御手段は、
前記撮影手段を使用する際に設定された前記撮影モード及び前記撮影手段を使用する際の前記表示装置の前記使用環境状態に紐付けられた前記設定情報を前記設定情報記憶手段から決定し、該決定した設定情報を基に、前記表示手段の輝度、明度の少なくとも１つを前記設定情報に応じた輝度、明度に変更する、ことを特徴とする請求項１または請求項２記載の表示装置。
【請求項４】
前記記憶手段は、前記輝度、明度の情報を前記撮影モード及び前記使用環境状態とに紐付けて蓄積し、
前記更新手段は、前記記憶手段に蓄積された前記輝度、明度の情報を基に、前記撮影モード及び前記使用環境状態の時に最も前記表示手段に設定された前記輝度、明度の情報を特定し、該特定した前記輝度、明度の情報を前記撮影モード及び前記使用環境状態に紐付けて前記設定情報記憶手段に記憶し、前記設定情報記憶手段の前記設定情報を更新する、ことを特徴とする請求項３記載の表示装置。
【請求項５】
前記撮影手段を使用する際に、前記表示手段の周囲の領域の輝度、明度の少なくとも１つを所定の値以上に変更する第３の表示制御手段を有する、ことを特徴とする請求項１から請求項４の何れか１項に記載の表示装置。
【請求項６】
表示手段と、前記表示手段の前方に位置する被写体を撮影する撮影手段を使用して前記被写体を撮影する時の撮影モードと、前記表示手段に設定する輝度、明度の少なくとも１つの設定情報と、を紐付けて記憶する設定情報記憶手段と、前記撮影手段を使用した時に前記表示手段に設定された輝度、明度の情報を前記撮影手段を使用した際に設定された前記撮影モードに紐付けて蓄積する記憶手段と、前記記憶手段に蓄積された前記輝度、明度の情報を基に、前記撮影モードを使用した際に最も前記表示手段に設定された前記輝度、明度の情報を特定し、該特定した前記輝度、明度の情報を前記撮影モードに紐付けて前記設定情報記憶手段に記憶し、前記設定情報記憶手段の前記設定情報を更新する更新手段と、を備えた表示装置のコンピュータに実行させるプログラムであって、
前記撮影手段を使用する際に設定された前記撮影モードに紐付けられた前記設定情報を前記設定情報記憶手段から決定し、該決定した設定情報を基に、前記表示手段の輝度、明度の少なくとも１つを前記設定情報に応じた輝度、明度に変更する第１の表示制御処理を、前記コンピュータに実行させることを特徴とするプログラム。
【発明の詳細な説明】
【技術分野】
【０００１】
本発明は、表示装置の技術に関する。
【背景技術】
【０００２】
近年のノートパソコン等の情報処理装置には、Ｗｅｂカメラ等の撮影手段が搭載されており、その撮影手段を用いて名刺や人物等の被写体を撮影することが可能になっている。
【０００３】
しかし、撮影手段の使用環境によっては、外光を取り込むことができず、撮影環境が悪い場合がある。例えば、屋内などの場所において照明がない状態の場合は、外光を取り込むことができず、撮影環境が悪くなる。
【０００４】
撮影環境が悪いと、撮影手段で撮影した画像の品質が悪くなってしまう。このため、撮影手段で被写体を撮影する際に、撮影環境を良好にするための仕組みが必要視されている。
【０００５】
なお、本発明より先に出願された技術文献として、例えば、特許文献１（特開２００５−２８６４４０号公報）には、カメラ１２１と表示装置１１１を備えたカメラ付情報端末１０において、撮影時に、表示装置１１１に白１００％の信号に基づく表示をさせることにより補助光として点灯させる技術について開示されている。これにより、特許文献１では、被写体輝度が不足している場合であっても良好な写真撮影を可能としている。
【先行技術文献】
【特許文献】
【０００６】
【特許文献１】特開２００５−２８６４４０号公報
【発明の概要】
【発明が解決しようとする課題】
【０００７】
特許文献１には、フラッシュ装置を搭載せずに、表示装置１１１を補助光として使用する技術について開示されている。この特許文献１の技術を用いることで、撮影手段で被写体を撮影する際に、撮影環境を良好にすることができる。
【０００８】
なお、撮影手段で被写体を撮影する際の撮影モードとしては、例えば、静止画モード、動画モードなどの複数の撮影モードがある。静止画モードは、撮影手段を使用して静止画を撮影する際に使用するモードである。動画モードは、撮影手段を使用して動画を撮影する際に使用するモードである。通常、撮影手段を使用して撮影するモードによっては、撮影時に求められる撮影環境が異なる。例えば、静止画モードであれば、撮影時の撮影環境が重要となるため、撮影環境を良好にするための処理時間がある程度かかっても撮影環境を最適にしてから撮影した方が良いと考えられる。また、動画モードであれば、リアルタイム性が求められるため、撮影環境を良好にするための処理時間を余りかけずに撮影した方が良いと考えられる。
【０００９】
本開示は、撮影手段で被写体を撮影する際の撮影モードに応じた撮影環境を提供することにある。
【課題を解決するための手段】
【００１０】
本開示の一態様にかかる表示装置は、
表示手段と、前記表示手段の前方に位置する被写体を撮影する撮影手段と、を備えた表示装置であって、
前記撮影手段を使用して前記被写体を撮影する時の撮影モードと、前記表示手段に設定する輝度、明度の少なくとも１つの設定情報と、を紐付けて記憶する設定情報記憶手段と、
前記撮影手段を使用する際に設定された前記撮影モードに紐付けられた前記設定情報を前記設定情報記憶手段から決定し、該決定した設定情報を基に、前記表示手段の輝度、明度の少なくとも１つを前記設定情報に応じた輝度、明度に変更する第１の表示制御手段と、
前記撮影手段を使用した時に前記表示手段に設定された輝度、明度の情報を前記撮影手段を使用した際に設定された前記撮影モードに紐付けて蓄積する記憶手段と、
前記記憶手段に蓄積された前記輝度、明度の情報を基に、前記撮影モードを使用した際に最も前記表示手段に設定された前記輝度、明度の情報を特定し、該特定した前記輝度、明度の情報を前記撮影モードに紐付けて前記設定情報記憶手段に記憶し、前記設定情報記憶手段の前記設定情報を更新する更新手段と、
を有することを特徴とする。
【発明の効果】
【００１１】
撮影手段で被写体を撮影する際の撮影モードに応じた撮影環境を提供することができる。
【図面の簡単な説明】
【００１２】
【図１】ノートパソコン１００の外観を示す斜視図である。
【図２】ノートパソコン１００のハード構成例を示す図である。
【図３】撮影モード設定情報記憶部のデータ構成例を示す図である。
【図４】撮影モードに応じた設定値、輝度、明度を決定する際の処理動作例を示す図である。
【図５】動画モード時の処理動作例を示す第１の図である。
【図６】動画モード時の処理動作例を示す第２の図である。
【図７】動画モード時の処理動作例を示す第３の図である。
【図８】静止画モード時の処理動作例を示す第１の図である。
【図９】静止画モード時の処理動作例を示す第２の図である。
【図１０】静止画モード時の処理動作例を示す第３の図である。
【図１１】撮影モード設定情報記憶部のデータ構成例を示す図である。
【図１２】撮影モード及び使用環境状態に応じた設定値、輝度、明度を決定する際の処理動作例を示す図である。
【図１３】表示装置の周囲の領域の輝度、明度を変更する場合を説明するための図である。
【発明を実施するための形態】
【００１３】
（本開示の一態様にかかる表示装置１００の概要）
まず、図１、図２を参照しながら、本開示の一態様にかかる表示装置１００について説明する。図１、図２は、表示装置１００の構成例を示す図である。
【００１４】
本開示の一態様にかかる表示装置１００は、表示手段と、表示手段の前方に位置する被写体を撮影する撮影手段と、を備えた表示装置１００である。表示手段は、表示装置４が機能する。撮影手段は、Ｗｅｂカメラ７が機能する。
【００１５】
本開示の一態様にかかる表示装置１００は、図２に示すように、設定情報記憶手段と、第１の表示制御手段と、を有している。設定情報記憶手段は、撮影モード設定情報記憶部３１が機能する。第１の表示制御手段は、表示制御部２２が機能する。
【００１６】
設定情報記憶手段３１は、撮影手段７を使用して被写体を撮影する時の撮影モードと、表示手段４に設定する輝度、明度の少なくとも１つの設定情報と、を紐付けて記憶する。
【００１７】
第１の表示制御手段２２は、撮影手段７を使用する際に設定された撮影モードに紐付けられた設定情報を設定情報記憶手段３１から決定し、該決定した設定情報を基に、表示手段４の輝度、明度の少なくとも１つを設定情報に応じた輝度、明度に変更する。
【００１８】
本開示の一態様にかかる表示装置１００は、撮影手段７を使用する際に設定された撮影モードに紐付けられた設定情報を設定情報記憶手段３１から決定し、該決定した設定情報を基に、表示手段４の輝度、明度の少なくとも１つを設定情報に応じた輝度、明度に変更する。これにより、表示手段４の輝度、明度の少なくとも１つを撮影モードに応じた値に変更することができる。その結果、撮影手段７で被写体を撮影する際の撮影モードに応じた撮影環境を提供することができる。以下、添付図面を参照しながら、本開示の一態様にかかる表示装置１００の実施形態について詳細に説明する。なお、以下の実施形態では、表示装置１００としてノートパソコン１００を例に説明する。
【００１９】
（第１の実施形態）
＜ノートパソコン１００の構成例＞
まず、図１を参照しながら、本実施形態のノートパソコン１００の構成例について説明する。図１は、本実施形態のノートパソコン１００の外観を示す斜視図である。
【００２０】
本実施形態のノートパソコン１００は、図１に示すように、本体筐体１と表示筐体２とを備えている。本体筐体１と表示筐体２とは、ヒンジ部３によって互いに回動自在に支持されている。ヒンジ部３は、本体筐体１と表示筐体２とを矢印Ａまたは矢印Ｂに示す方向へ回動自在に支持する回動軸Ｃを備えている。ヒンジ部３は、表示筐体２に収容される表示装置４が本体筐体１で覆われる第１の位置と、表示装置４が露出される第２の位置と、の間で回動可能にすることができる。第１の位置は、本体筐体１と表示筐体２とのなす角が例えば０°となる位置を意味し、第２の位置は、本体筐体１と表示筐体２とのなす角が例えば１３５°となる位置を意味する。
【００２１】
本体筐体１は、各種電気素子が実装された回路基板、電池パックなどを収容する。本体筐体１の上面側には、キーボード５、ポインティングデバイス６が配置されている。キーボード５、ポインティングデバイス６は、各種情報をノートパソコン１００に入力する際に使用したり、ノートパソコン１００を操作する際に使用する。
【００２２】
表示筐体２は、表示装置４、Ｗｅｂカメラ７を収容する。表示装置４は、各種情報を表示する装置である。Ｗｅｂカメラ７は、被写体を撮影する撮影装置である。Ｗｅｂカメラ７は、表示装置４の上方の略中央に配置され、表示装置４の前方の被写体を撮影することが可能になっている。Ｗｅｂカメラ７で撮影した画像は、表示装置４に表示したり、ノートパソコン１００とネットワークを介して接続した他の機器に表示したりする。表示装置４、Ｗｅｂカメラ７は、通常、本体筐体１と表示筐体２とのなす角が例えば１３５°となる第２の位置の状態で使用する。Ｗｅｂカメラ７を使用することで、動画を撮影したり、静止画を撮影したりすることができる。また、ネットワークを介してテレビ通話等を行うことができる。
【００２３】
＜ノートパソコン１００のハード構成例＞
次に、図２を参照しながら、本実施形態のノートパソコン１００のハード構成例について説明する。図２は、本実施形態のノートパソコン１００のハード構成例を示す図である。
【００２４】
本実施形態のノートパソコン１００は、入力部１０、制御部２０、記憶部３０を有している。
【００２５】
入力部１０は、各種情報を入力する。入力部１０に入力される情報としては、キーボード５から入力される情報、ポインティングデバイス６から入力される情報が挙げられる。
【００２６】
制御部２０は、ノートパソコン１００を統括して制御する。本実施形態の制御部２０は、撮影制御部２１、表示制御部２２を有している。撮影制御部２１は、撮影装置であるＷｅｂカメラ７を制御する。表示制御部２２は、表示装置４を制御する。
【００２７】
記憶部３０は、各種情報を記憶する。本実施形態の記憶部３０は、撮影モード設定情報記憶部３１を有している。
【００２８】
撮影モード設定情報記憶部３１は、図３に示すように、撮影モードに応じた設定情報を記憶する。設定情報は、表示装置４の輝度、明度を制御する際に使用する情報である。図３では、撮影モードに紐付けて設定値、輝度、明度の設定情報が記憶されている。図３に示す撮影モードとしては、動画・カラーモード、動画・モノクロモード、動画・セピアモード、静止画・カラーモード、静止画・モノクロモード、静止画・セピアモードの６つの動画モードに紐付けて設定値、輝度、明度の設定情報を記憶している。なお、設定情報は、表示装置４とＷｅｂカメラ７との位置関係が所定の位置関係で固定されていることを前提に設定する。これにより、表示装置４とＷｅｂカメラ７との位置関係が所定の位置関係で固定されている場合に、その設定情報を用いて表示装置４の輝度、明度を制御することができる。なお、設定情報は、表示装置４とＷｅｂカメラ７との所定の位置関係に応じて設定して撮影モード設定情報記憶部３１に記憶することも可能である。これにより、表示装置４とＷｅｂカメラ７との位置関係を変更しても、その変更後の位置関係に応じた設定情報を用いて、表示装置４の輝度、明度を制御することができる。
【００２９】
設定値は、使用者が撮影モードを選択してＷｅｂカメラ７を使用する際に、その選択した撮影モードに応じた最適な撮影環境とするために表示装置４の輝度、明度、彩度、色相を調整する際の指標となる値である。設定値は、ある程度の幅を持った値である。設定値は、撮影モード毎に異なる値になっている。
【００３０】
輝度、明度の情報は、使用者が撮影モードを選択した際に、その選択した撮影モードに応じた輝度、明度となるように表示装置４の輝度、明度を調整する際に最初に使用する値である。輝度、明度の情報は、使用者が撮影モードを選択した際に、その選択した撮影モードで使用した表示装置４の輝度、明度の情報を学習していき、使用者に応じた値に更新していくことになる。
【００３１】
例えば、初期設定時は、撮影モード設定情報記憶部３１に記憶されている輝度、明度の情報は撮影モードにかかわらず同じ値になっている。そして、使用者がＷｅｂカメラ７を使用する際に表示装置４に設定されている輝度、明度の情報を取得し、その取得した輝度、明度の情報をＷｅｂカメラ７を使用した時の撮影モード毎に記憶部３０に蓄積する。そして、撮影モード毎に記憶部３０に蓄積した輝度、明度の情報を基に、その撮影モード時に最も使用する輝度、明度の情報を特定し、その特定した輝度、明度の情報を撮影モード設定情報記憶部３１に撮影モードに紐付けて記憶し、撮影モード設定情報記憶部３１の輝度、明度の情報を更新していく。これにより、使用者が撮影モードを選択した際に頻繁に使用している表示装置４の輝度、明度の値に変更することが可能となる。
【００３２】
＜ノートパソコン１００の処理動作例＞
次に、図４〜図１０を参照しながら、本実施形態のノートパソコン１００の処理動作例について説明する。図４は、Ｗｅｂカメラ７の撮影モードに応じた設定値、輝度、明度を決定する際の処理動作例を示す図である。図５〜図７は、動画モード選択時の処理動作例を示す図である。図８〜図１０は、静止画モード選択時の処理動作例を示す図である。
【００３３】
まず、使用者の操作によりＷｅｂカメラ７の起動が開始された場合に、図４に示すように、撮影制御部２１は、使用者の操作により選択されたＷｅｂカメラ７の撮影モードが動画モード、静止画モードの何れのモードであるかを判定する（ステップS1）。動画モードである場合は（ステップS1/動画モード）、Ｗｅｂカメラ７の撮影モードを動画モードに設定する（ステップS1-1）。静止画モードである場合は（ステップS1/静止画モード）、Ｗｅｂカメラ７の撮影モードを静止画モードに設定する（ステップS1-2）。
【００３４】
次に、撮影制御部２１は、使用者の操作により選択されたＷｅｂカメラ７の撮影モードがモノクロモード、セピアモード、カラーモードの何れのモードであるかを判定する（ステップS2）。モノクロモードである場合は（ステップS2/モノクロモード）、Ｗｅｂカメラ７の撮影モードをモノクロモードに設定する（ステップS2-1）。セピアモードである場合は（ステップS2/セピアモード）、Ｗｅｂカメラ７の撮影モードをセピアモードに設定する（ステップS2-2）。カラーモードである場合は（ステップS2/カラーモード）、Ｗｅｂカメラ７の撮影モードをカラーモードに設定する（ステップS2-3）。
【００３５】
次に、表示制御部２２は、撮影モード設定情報記憶部３１を参照し、ステップS1,S2で設定したＷｅｂカメラ７の撮影モードに応じた設定値、表示装置４の輝度、明度を決定する（ステップS3）。例えば、ステップS1,S2で設定したＷｅｂカメラ７の撮影モードが動画モード、モノクロモードである場合は、撮影モード設定情報記憶部３１を参照し、動画モード、モノクロモードに紐付けられた設定値Ｂ、輝度Ｂ、明度Ｂに決定する。そして、表示制御部２２は、ステップS3で決定した輝度、明度を基に、表示装置４の輝度、明度がステップS3で決定した輝度、明度の値となるように表示装置４の輝度、明度を変更する（ステップS4）。これにより、表示装置４の輝度、明度を撮影モードに応じた輝度、明度に変更することができる。なお、設定値は、後述する図５〜図１０の処理動作時に使用する。
【００３６】
撮影制御部２１は、撮影モードの設定変更があるか否かを常時監視し（ステップS5）、撮影モードの設定変更がある場合は（ステップS5/Yes）、ステップS1に戻り、ステップS1〜ステップS4の処理を繰り返し行う。また、撮影モードの設定変更がない場合は（ステップS5/No）、ステップS1,S2で設定したＷｅｂカメラ７の撮影モードでの撮影に移行する（End）。この図４に示す処理動作を行うことで、使用者がＷｅｂカメラ７の起動を開始し、撮影モードを選択した際に、表示装置４の輝度、明度を使用者が選択した撮影モードに応じた輝度、明度に自動的に変更することができる。
【００３７】
使用者が図４に示す処理動作で動画モードを選択した場合は、表示制御部２２は、図５〜図７の少なくとも１つの処理動作を行う。なお、図５〜図７の３つの処理動作を行う場合は、図３に示す撮影モード設定情報記憶部３１には、各々の処理動作に使用する３つの設定値が記憶されることになる。
【００３８】
図５に示す処理動作の場合は、表示制御部２２は、Ｗｅｂカメラ７での動画の撮影中に、そのＷｅｂカメラ７で撮影した画像から人物の顔の画像を取得する（ステップS11）。
【００３９】
次に、表示制御部２２は、ステップS11で取得した人物の顔の画像の全体の色相、彩度を取得する（ステップS12）。
【００４０】
次に、表示制御部２２は、顔全体の色相、彩度の分布の平均値が設定値の範囲内か否かを判定する（ステップS13）。平均値は、例えば、人物の顔のそれぞれの部分の画像の色相、彩度を数値化した値と、人物の顔の画像に占めるそれぞれの色相、彩度の画像の割合と、を乗算して得られた値が挙げられる。色相、彩度を数値化した値は、色の分類に応じて予め設定しておく。設定値は、図４のステップS3で決定した撮影モードに応じた値であり、図３に示す撮影モード設定情報記憶部３１に予め記憶されている。
【００４１】
表示制御部２２は、顔全体の色相、彩度の分布の平均値が設定値の範囲内である場合は（ステップS13/Yes）、そのまま動画の撮影を継続する（撮影継続）。また、顔全体の色相、彩度の分布の平均値が設定値の範囲内でない場合は（ステップS13/No）、顔全体の色相、彩度の分布に基づいて、表示装置４の色相、彩度を調整する（ステップS14）。例えば、顔の画像の色相、彩度が青みかかっている場合は、その青みかかっている部分に対応する表示装置４の表示位置の色相、彩度を弱めて補色（黄色）を強めるように表示装置４の色相、彩度を調整する。Ｗｅｂカメラ７で撮影して得られた画像の座標位置と、表示装置４の表示位置と、の位置関係は予め対応付けられており、その位置関係を基に、表示装置４の色相、彩度を調整する。これにより、色相、彩度が青みかかっている画像の座標位置に対応する表示装置４の表示位置の画像の色相、彩度を弱めて補色（黄色）を強めるようにすることができる。ステップS14で表示装置４の色相、彩度を調整した後は、そのまま動画の撮影を継続する（撮影継続）。
【００４２】
図６に示す処理動作の場合は、表示制御部２２は、Ｗｅｂカメラ７での動画の撮影中に、そのＷｅｂカメラ７で撮影した画像から人物の画像を取得する（ステップS21）。
【００４３】
次に、表示制御部２２は、ステップS21で取得した人物の画像から最も明るい部分の画像と最も暗い部分の画像（影になっている部分の画像）とを取得する（ステップS22）。
【００４４】
次に、表示制御部２２は、明るい部分の画像の輝度と暗い部分の画像の輝度との差分が設定値の範囲内か否かを判定する（ステップS23）。設定値は、図４のステップS3で決定した撮影モードに応じた値であり、図３に示す撮影モード設定情報記憶部３１に予め記憶されている。
【００４５】
表示制御部２２は、輝度の差分が設定値の範囲内である場合は（ステップS23/Yes）、そのまま動画の撮影を継続する（撮影継続）。また、輝度の差分が設定値の範囲内でない場合は（ステップS23/No）、輝度の差分に基づいて、表示装置４の輝度を調整する（ステップS24）。例えば、Ｗｅｂカメラ７で撮影して得られた画像の暗い部分に対応する表示装置４の表示位置の輝度を、上記判定で用いた差分に応じた値だけ増加するように調整する。また、Ｗｅｂカメラ７で撮影して得られた画像の明るい部分に対応する表示装置４の表示位置の輝度を、上記判定で用いた差分に応じた値だけ低減するように調整する。ステップS24で表示装置４の輝度を調整した後は、そのまま動画の撮影を継続する（撮影継続）。
【００４６】
図７に示す処理動作の場合は、表示制御部２２は、Ｗｅｂカメラ７での動画の撮影中に、そのＷｅｂカメラ７で撮影した画像から人物の画像を取得する（ステップS31）。
【００４７】
次に、表示制御部２２は、ステップS31で取得した人物の画像から瞳（メガネ）の部分の画像を取得する（ステップS32）。
【００４８】
次に、表示制御部２２は、瞳（メガネ）の部分の画像に他の映像の写り込みが発生しているか否かを判定する（ステップS33）。例えば、瞳（メガネ）の部分の最も明るい部分の輝度と最も暗い部分の輝度との差分が設定値を超えている場合に、写り込みが発生していると判定し、設定値を超えていない場合に、写り込みが発生していないと判定する。この場合に使用する設定値は、図４のステップS3で決定した撮影モードに応じた値であり、図３に示す撮影モード設定情報記憶部３１に予め記憶されている。なお、他の判定方法としては、例えば、瞳（メガネ）の部分の画像の中に、設定値以上の明るい画像（例えば、白画像）などが含まれている場合は、瞳（メガネ）の部分に写り込みが発生していると判定する方法、瞳（メガネ）の部分の画像の中に、黒以外の別の色の画像などが含まれている場合は、瞳（メガネ）の部分に写り込みが発生していると判定する方法などが挙げられる。
【００４９】
瞳（メガネ）の部分の画像に他の映像の映り込みが発生していない場合は（ステップS33/No）、そのまま動画の撮影を継続する（撮影継続）。また、瞳（メガネ）の部分の画像に他の映像の映り込みが発生している場合は（ステップS33/Yes）、瞳（メガネ）の部分の画像に他の映像の映り込みが少なくなるように表示装置４の輝度、明度、彩度、色相を調整する（ステップS34）。例えば、Ｗｅｂカメラ７で撮影して得られた画像の瞳（メガネ）に対応する表示装置４の表示位置の輝度、明度を、その写り込みの状態に応じた値だけ低減するように調整する。また、Ｗｅｂカメラ７で撮影して得られた画像の瞳（メガネ）の色相、彩度に近い状態に表示装置４の配色を調整する。ステップS34で表示装置４の輝度、明度、彩度、色相を調整した後は、そのまま動画の撮影を継続する（撮影継続）。
【００５０】
また、使用者が図４に示す処理動作で静止画モードを選択した場合は、表示制御部２２は、図８〜図１０の少なくとも１つの処理動作を行う。なお、図８〜図１０の３つの処理動作を行う場合は、図３に示す撮影モード設定情報記憶部３１には、各々の処理動作に使用する３つの設定値が記憶されることになる。
【００５１】
図８に示す処理動作の場合は、表示制御部２２は、Ｗｅｂカメラ７での静止画の撮影前に、そのＷｅｂカメラ７で撮影した画像から人物の顔の画像を取得する（ステップS41）。
【００５２】
次に、表示制御部２２は、ステップS41で取得した人物の顔の画像の全体の色相、彩度を取得する（ステップS42）。
【００５３】
次に、表示制御部２２は、顔全体の色相、彩度の分布の平均値が設定値の範囲内か否かを判定する（ステップS43）。設定値は、図４のステップS3で決定した撮影モードに応じた値であり、図３に示す撮影モード設定情報記憶部３１に予め記憶されている。
【００５４】
表示制御部２２は、顔全体の色相、彩度の分布の平均値が設定値の範囲内である場合は（ステップS43/Yes）、静止画の撮影が可能な状態である旨を報知する（ステップS45）。これにより、使用者は、撮影環境が最適になったと把握することができ、撮影を開始することができる（撮影開始）。また、顔全体の色相、彩度の分布の平均値が設定値の範囲内でない場合は（ステップS43/No）、顔全体の色相、彩度の分布に基づいて、表示装置４の色相、彩度を調整する（ステップS44）。例えば、顔の画像の色相、彩度が青みかかっている場合は、その青みかかっている部分に対応する表示装置４の表示位置の色相、彩度を弱めて補色（黄色）を強めるように表示装置４の色相、彩度を調整する。Ｗｅｂカメラ７で撮影して得られた画像の座標位置と、表示装置４の表示位置と、の位置関係は予め対応付けられており、その位置関係を基に、表示装置４の色相、彩度を調整する。ステップS44で表示装置４の色相、彩度を調整した後は、再び、ステップS41の処理に移行し、人物の顔の画像の全体の色相、彩度の分布の平均値が設定値の範囲内に納まるまで、ステップS41〜S44の処理を繰り返し行う。これにより、撮影環境を最適にしてから静止画の撮影を開始することができる。
【００５５】
図９に示す処理動作の場合は、表示制御部２２は、Ｗｅｂカメラ７での静止画の撮影前に、そのＷｅｂカメラ７で撮影した画像から人物の画像を取得する（ステップS51）。
【００５６】
次に、表示制御部２２は、ステップS51で取得した人物の画像から最も明るい部分の画像と最も暗い部分の画像（影になっている部分の画像）とを取得する（ステップS52）。
【００５７】
次に、表示制御部２２は、明るい部分の画像の輝度と暗い部分の画像の輝度との差分が設定値の範囲内か否かを判定する（ステップS53）。設定値は、図４のステップS3で決定した撮影モードに応じた値であり、図３に示す撮影モード設定情報記憶部３１に予め記憶されている。
【００５８】
表示制御部２２は、輝度の差分が設定値の範囲内である場合は（ステップS53/Yes）、静止画の撮影が可能な状態である旨を報知する（ステップS55）。これにより、使用者は、撮影環境が最適になったと把握することができ、撮影を開始することができる（撮影開始）。また、輝度の差分が設定値の範囲内でない場合は（ステップS53/No）、輝度の差分に基づいて、表示装置４の輝度を調整する（ステップS54）。例えば、Ｗｅｂカメラ７で撮影して得られた画像の暗い部分に対応する表示装置４の表示位置の輝度を、上記判定で用いた差分に応じた値だけ増加するように調整する。また、Ｗｅｂカメラ７で撮影して得られた画像の明るい部分に対応する表示装置４の表示位置の輝度を、上記判定で用いた差分に応じた値だけ低減するように調整する。ステップS54で表示装置４の輝度を調整した後は、再び、ステップS51の処理に移行し、人物の画像の明るい部分と暗い部分との輝度の差分が設定値の範囲内に納まるまで、ステップS51〜S54の処理を繰り返し行う。これにより、撮影環境を最適にしてから静止画の撮影を開始することができる。
【００５９】
図１０に示す処理動作の場合は、表示制御部２２は、Ｗｅｂカメラ７での静止画の撮影前に、そのＷｅｂカメラ７で撮影した画像から人物の画像を取得する（ステップS61）。
【００６０】
次に、表示制御部２２は、ステップS61で取得した人物の画像から瞳（メガネ）の部分の画像を取得する（ステップS62）。
【００６１】
次に、表示制御部２２は、瞳（メガネ）の部分の画像に他の映像の写り込みが発生しているか否かを判定する（ステップS63）。例えば、瞳（メガネ）の部分の最も明るい部分の輝度と最も暗い部分の輝度との差分が設定値を超えている場合に、写り込みが発生していると判定し、設定値を超えていない場合に、写り込みが発生していないと判定する。この場合に使用する設定値は、図４のステップS3で決定した撮影モードに応じた値であり、図３に示す撮影モード設定情報記憶部３１に予め記憶されている。なお、他の判定方法としては、例えば、瞳（メガネ）の部分の画像の中に、設定値以上の明るい画像（例えば、白画像）などが含まれている場合は、瞳（メガネ）の部分に写り込みが発生していると判定する方法、瞳（メガネ）の部分の画像の中に、黒以外の別の色の画像などが含まれている場合は、瞳（メガネ）の部分に写り込みが発生していると判定する方法などが挙げられる。
【００６２】
瞳（メガネ）の部分の画像に他の映像の映り込みが発生していない場合は（ステップS63/No）、静止画の撮影が可能な状態である旨を報知する（ステップS55）。これにより、使用者は、撮影環境が最適になったと把握することができ、撮影を開始することができる（撮影開始）。また、瞳（メガネ）の部分の画像に他の映像の映り込みが発生している場合は（ステップS63/Yes）、瞳（メガネ）の部分の画像に他の映像の映り込みが少なくなるように表示装置４の輝度、明度、彩度、色相を調整する（ステップS64）。例えば、Ｗｅｂカメラ７で撮影して得られた画像の瞳（メガネ）に対応する表示装置４の表示位置の輝度、明度を、その写り込みの状態に応じた値だけ低減するように調整する。また、Ｗｅｂカメラ７で撮影して得られた画像の瞳（メガネ）の色相、彩度に近い状態に表示装置４の配色を調整する。ステップS64で表示装置４の輝度、明度、彩度、色相を調整した後は、再び、ステップS61の処理に移行し、瞳（メガネ）の部分の画像に他の映像の映り込みが発生しなくなるまで、ステップS61〜S64の処理を繰り返し行う。これにより、撮影環境を最適にしてから静止画の撮影を開始することができる。
【００６３】
なお、図５〜図１０に示す処理動作を行った後に、Ｗｅｂカメラ７の起動が終了した場合は、Ｗｅｂカメラ７の起動を開始する前に表示装置４に設定されていた元の輝度、明度、彩度、色相の状態に戻す。これにより、キーボード５、ポインティングデバイス６を使用してノートパソコン１００を操作する際は、表示装置４の輝度、明度、彩度、色相を元の状態に戻すことができる。
【００６４】
＜本実施形態のノートパソコン１００の作用・効果＞
このように、本実施形態のノートパソコン１００は、Ｗｅｂカメラ７の撮影モードに紐付けて輝度、明度の設定情報を撮影モード設定情報記憶部３１に予め記憶する。そして、使用者がＷｅｂカメラ７を使用する際に設定した撮影モードに応じた輝度、明度の設定情報を撮影モード設定情報記憶部３１から決定する。そして、表示装置４の輝度、明度が上記決定した輝度、明度となるように、表示装置４の輝度、明度を変更する。これにより、Ｗｅｂカメラ７で被写体を撮影する際の撮影モードに応じた撮影環境を提供することができる。
【００６５】
（第２の実施形態）
次に、第２の実施形態について説明する。
【００６６】
第２の実施形態では、Ｗｅｂカメラ７の撮影モード及びノートパソコン１００の使用環境状態に紐付けて輝度、明度の設定情報を撮影モード設定情報記憶部３１に予め記憶する。使用環境状態とは、ノートパソコン１００を使用する際の環境状態であり、ノートパソコン１００を使用する際の位置情報、時刻情報、天気情報などの情報が挙げられ、Ｗｅｂカメラ７で被写体を撮影する際の撮影環境を変動させる要因となる情報である。例えば、位置情報は、ノートパソコン１００を使用する場所がオフィスなのか、家なのか、外なのかを把握することができる。時刻情報は、ノートパソコン１００を使用する時刻が朝方なのか夕方なのか夜なのかを把握することができる。天気情報は、ノートパソコン１００を使用する際の天候が晴天なのか曇りなのか雨なのかを把握することができる。このため、ノートパソコン１００の使用環境状態を特定し、その特定した使用環境状態に応じた輝度、明度の設定情報を基に、表示装置４の輝度、明度を変更することで、ノートパソコン１００の使用環境状態に応じた撮影環境を提供することができる。本実施形態では、使用者がＷｅｂカメラ７を使用する際に設定した撮影モード及びノートパソコン１００の使用環境状態に応じた輝度、明度の設定情報を撮影モード設定情報記憶部３１から決定する。そして、表示装置４の輝度、明度が上記決定した輝度、明度となるように、表示装置４の輝度、明度を変更する。これにより、Ｗｅｂカメラ７で被写体を撮影する際の撮影モード及びノートパソコン１００の使用環境状態に応じた撮影環境を提供することができる。
【００６７】
本実施形態の撮影モード設定情報記憶部３１は、図１１に示すように、撮影モードとノートパソコン１００の使用環境状態とに応じた設定情報を記憶する。設定情報は、表示装置４の表示状態を制御する際に使用する情報である。図１１では、撮影モードと使用環境状態とに紐付けて設定値、輝度、明度の設定情報が記憶されている。撮影モードと使用環境状態とに紐付けて設定値、輝度、明度の設定情報を記憶することで、Ｗｅｂカメラ７で被写体を撮影する際の撮影モード及びノートパソコン１００の使用環境状態に応じた撮影環境を提供することができる。
【００６８】
なお、撮影モード設定情報記憶部３１に記憶される輝度、明度の情報は、使用者が撮影モードを選択した際に、その選択した撮影モード及びその時のノートパソコン１００の使用環境状態で使用した表示装置４の輝度、明度の情報を学習していき、使用者に応じた値に更新していくことになる。
【００６９】
例えば、初期設定時は、撮影モード設定情報記憶部３１に記憶されている輝度、明度の情報は撮影モードにかかわらず同じ値になっている。そして、使用者がＷｅｂカメラ７を使用する際に表示装置４に設定されている輝度、明度の情報を取得し、その取得した輝度、明度の情報をＷｅｂカメラ７を使用した時の撮影モード及びその時のノートパソコン１００の使用環境状態毎に記憶部３０に蓄積する。そして、撮影モード及び使用環境状態毎に記憶部３０に蓄積した輝度、明度の情報を基に、その撮影モード及び使用環境状態時に最も使用する輝度、明度の情報を特定し、その特定した輝度、明度の情報を撮影モード設定情報記憶部３１に撮影モード及び使用環境状態に紐付けて記憶し、撮影モード設定情報記憶部３１の輝度、明度の情報を更新していく。これにより、使用者が撮影モードを選択した際に、その選択した撮影モード及びその時のノートパソコン１００の使用環境状態で頻繁に使用している表示装置４の輝度、明度の値に変更することが可能となる。
【００７０】
本実施形態では、図１２に示すように、表示制御部２２は、Ｗｅｂカメラ７を使用する際の現在のノートパソコン１００の使用環境状態を特定する（ステップS3-1）。例えば、ノートパソコン１００の現在の位置情報を取得する。また、現在の時刻情報を取得する。また、現在の天気情報を取得する。これにより、ノートパソコン１００の現在の使用環境状態を特定することができる。
【００７１】
次に、表示制御部２２は、撮影モード設定情報記憶部３１を参照し、ステップS3-1で特定したノートパソコン１００の使用環境状態、及び、ステップS1,S2で設定したＷｅｂカメラ７の撮影モードに応じた設定値、表示装置４の輝度、明度を決定する（ステップS3-2）。例えば、ステップS3-1で特定したノートパソコン１００の使用環境状態が使用環境状態ａであり、ステップS1,S2で設定したＷｅｂカメラ７の撮影モードが動画モード、モノクロモードである場合は、撮影モード設定情報記憶部３１を参照し、動画モード、モノクロモード、使用環境状態ａに紐付けられた設定値Ｂ、輝度Ｂ−ａ、明度Ｂ−ａに決定する。そして、表示制御部２２は、ステップS3-2で決定した輝度、明度を基に、表示装置４の輝度、明度がステップS3-2で決定した輝度、明度の値となるように表示装置４の輝度、明度を変更する（ステップS4）。これにより、表示装置４の輝度、明度を撮影モード及び使用環境状態に応じた輝度、明度に変更することができる。
【００７２】
なお、本実施形態では、図１１に示すように、撮影モードと使用環境状態とに紐付けて設定値、輝度、明度の設定情報が撮影モード設定情報記憶部３１に記憶されている。このため、第１の実施形態と同様に図５〜図１０の処理動作を行うことで、撮影モードと使用環境状態とに紐付いた設定値を基に、表示装置４の輝度、明度、彩度、色相を調整することになる。
【００７３】
（第３の実施形態）
次に、第３の実施形態について説明する。
【００７４】
第１、第２の実施形態では、表示装置４の輝度、明度を制御し、Ｗｅｂカメラ７で被写体を撮影する際の撮影モードやノートパソコン１００の使用環境状態に応じた撮影環境を提供するようにしている。この場合、表示装置４の全体の輝度、明度を変更し、表示装置４全体を明るくすると、使用者によっては、表示装置４の明かりが眩しくなってしまうことも想定される。
【００７５】
本実施形態では、図１３に示すように、表示装置４の周囲の領域４１の輝度、明度を変更し、表示装置４の周囲の領域４１だけを選択的に明るくするように制御する。これにより、表示装置４の明かりが使用者にとって眩しくなってしまうのを回避することができる。使用者は、主に表示装置４の中央部を見ることが多いため、本実施形態では、比較的視野の邪魔にならない表示装置４の周囲の領域４１だけを明るくするように制御している。なお、表示装置４の周囲の領域４１であっても、Ｗｅｂカメラ７で撮影した被写体の画像が表示装置４の周囲の領域４１に表示される場合は、その部分は除外して他の部分の領域４１だけを明るくするように制御することも可能である。図１３において、符号４２は、Ｗｅｂカメラ７を使用する際に輝度、明度を変更しない領域を意味する。逆に、符号４１は、Ｗｅｂカメラ７を使用する際に輝度、明度を変更する領域を意味する。
【００７６】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００７７】
例えば、上記実施形態のノートパソコン１００を構成する各部における制御動作は、ハードウェア、ソフトウェア、あるいは、両者の複合構成を用いて実行することも可能である。
【００７８】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【００７９】
例えば、プログラムは、記録媒体としてのハードディスクやROM（Read Only Memory）に予め記録しておくことが可能である。あるいは、プログラムは、リムーバブル記録媒体に一時的、あるいは、永続的に格納（記録）しておくことが可能である。このようなリムーバブル記録媒体は、いわゆるパッケージソフトウエアとして提供することが可能である。リムーバブル記録媒体は、磁気ディスク、半導体メモリなどの各種記録媒体が挙げられる。
【００８０】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【００８１】
また、上記実施形態のノートパソコン１００を構成する各部は、上記実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。
【００８２】
また、上記実施形態では、Ｗｅｂカメラ７と表示装置４とを搭載したノートパソコン１００を例に説明した。しかし、Ｗｅｂカメラ７を搭載した表示装置４においても上述した処理動作を行うことも可能である。この場合は、タブレットなどの装置になる。また、Ｗｅｂカメラ７を外付けした表示装置４においても上述した処理動作を行うことが可能である。
【符号の説明】
【００８３】
１００    ノートパソコン（情報処理装置の一例）
１    本体筐体
２    表示筐体
３    ヒンジ部
４    表示装置
５    キーボード
６    ポインティングデバイス
１０    入力部
２０    制御部
２１    撮影制御部
２２    表示制御部
３０    記憶部
３１    撮影モード設定情報記憶部
【図１】
0005963740.tif 000002
【図２】
0005963740.tif 000003
【図３】
0005963740.tif 000004
【図４】
0005963740.tif 000005
【図５】
0005963740.tif 000006
【図６】
0005963740.tif 000007
【図７】
0005963740.tif 000008
【図８】
0005963740.tif 000009
【図９】
0005963740.tif 000010
【図１０】
0005963740.tif 000011
【図１１】
0005963740.tif 000012
【図１２】
0005963740.tif 000013
【図１３】
0005963740.tif 000014